(57)【要約】【課題】投票用紙の開票作業を行う場合における開票状況の漏洩を未然に防止することができる投票用紙処理システム及び投票用紙処理方法を提供することを課題とする。【解決手段】投票用紙を所定の分類毎に分類する投票用紙分類部と、投票用紙分類部における投票用紙分類機能の運用に関する情報を管理する第一の情報管理部と、第一の情報管理部から出力された情報を管理する第二の情報管理部と、第二の情報管理部において管理される情報に基づいて、投票用紙分類機能の運用に関する情報を表示制御する運用情報表示制御部とを有する。【選択図】図１
2019144665.tif 000002
【特許請求の範囲】
【請求項１】
投票用紙を所定の分類毎に分類する投票用紙分類部と、
前記投票用紙分類部における投票用紙分類の運用に関する情報を管理する第一の情報管理部と、
前記第一の情報管理部から出力された情報を管理する第二の情報管理部と、
前記第二の情報管理部において管理される情報に基づいて、投票用紙分類の運用に関する情報を表示制御する運用情報表示制御部と
を有する投票用紙処理システム。
【請求項２】
前記第一の情報管理部は、前記投票用紙分類部において分類された所定の分類毎の票計数結果を前記第二の情報管理部に送信し、
前記第二の情報管理部は、前記第一の情報管理部から出力された票計数結果について、所定の集計処理を行う
請求項１に記載の投票用紙処理システム。
【請求項３】
前記第二の情報管理部は、計数されるべき票数である対象票数を特定可能な情報を入力する入力部を備え、
前記運用情報表示制御部は、前記集計処理の結果と前記対象票数を表示制御する
請求項２に記載の投票用紙処理システム。
【請求項４】
前記第二の情報管理部は、前記第一の情報管理部における情報の管理あるいは前記投票用紙分類部における投票用紙の分類に関する設定を指示する
請求項１〜３のいずれか一つに記載の投票用紙処理システム。
【請求項５】
前記第二の情報管理部は、前記第一の情報管理部から出力された情報に基づいて、複数の設定の中から設定を選択する選択部を備え、
前記選択部にて選択された設定を指示する
請求項４に記載の投票用紙処理システム。
【請求項６】
前記運用情報表示制御部は、前記投票用紙分類部における分類動作の動作状況を表示制御する
請求項１〜５のいずれか一つに記載の投票用紙処理システム。
【請求項７】
前記第一の情報管理部において管理される情報に基づいて、所定の情報を表示する管理情報表示制御部をさらに備え、
前記第一の情報管理部は、前記管理情報表示制御部にて表示制御される情報を制限する表示制御制限部を有する
請求項１〜６のいずれか一つに記載の投票用紙処理システム。
【請求項８】
前記第一の情報管理部は、前記第二の情報管理部への情報の出力が可能かどうかを判定する出力可否判定部をさらに備え、
前記表示制御制限部は、前記出力可否判定部の判定結果に基づいて、表示制御の制限を行う
請求項７に記載の投票用紙処理システム。
【請求項９】
前記第一の情報管理部は、前記第二の情報管理部からの表示制御制限指示を受け付ける表示制御制限指示受付部をさらに備え、
前記表示制御制限部は、前記表示制御制限指示受付部が表示制御制限指示を受け付けたことに基づいて、表示制御の制限を行う
請求項７に記載の投票用紙処理システム。
【請求項１０】
前記表示制御制限部が前記管理情報表示制御部の表示制御を制限している場合においても、前記運用情報表示制御部は投票用紙分類機能の運用に関する情報を表示制御することが可能である
請求項７〜９のいずれか一つに記載の投票用紙処理システム。
【請求項１１】
投票用紙を所定の分類毎に分類する投票用紙分類ステップと、
前記投票用紙分類ステップにおける投票用紙分類の運用に関する情報を管理する第一の情報管理ステップと、
前記第一の情報管理ステップにより出力された情報を管理する第二の情報管理ステップと、
前記第二の情報管理ステップにおいて管理される情報に基づいて、投票用紙分類の運用に関する情報を表示制御する運用情報表示制御ステップと
を含む投票用紙処理方法。
【発明の詳細な説明】
【技術分野】
【０００１】
この発明は、投票用紙の開票作業を行う場合における開票状況の漏洩を未然に防止することができる投票用紙処理システム及び投票用紙処理方法に関する。
【背景技術】
【０００２】
従来、国会議員等の公的選挙に立候補した候補者を有権者の投票によって選ぶ場合には、各有権者が投票所で投票した投票用紙を選挙管理委員等が集計して開票する。ここで、かかる集計作業を選挙委員等による手作業で行ったのでは、選挙管理委員等の人的労力が過大となるため、投票用紙分類機を用いて集計作業を行う技術が知られている。
【０００３】
例えば、特許文献１には、スキャナ、複数の分類ポケット及び小型液晶ディスプレイを有する投票用紙分類機をパソコンと接続し、パソコンに入力された候補者名ごとの得票数、分類ポケットの投票用紙抜き出し情報などを小型液晶ディスプレイに表示する技術が開示されている。
【先行技術文献】
【特許文献】
【０００４】
【特許文献１】特開２０１１−０５４１０３号公報
【発明の概要】
【発明が解決しようとする課題】
【０００５】
しかしながら、上記特許文献１に代表される従来技術によれば、投票用紙分類機に設けられた小型液晶ディスプレイに候補者名ごとの得票数が表示されるため、開票所に所在する報道関係者等により小型液晶ディスプレイが覗き見られ、その結果として候補者名ごとの得票数が外部に漏洩してしまうという問題がある。小型液晶ディスプレイとは言え、報道関係者等が望遠鏡などを用いて覗き見るケースも考えられるからである。
【０００６】
また、候補者数が多い場合には、投票用紙分類機に設けられた小型液晶ディスプレイに全ての候補者の得票数を一覧表示できなくなるため、該投票用紙分類機に接続されたパソコンのディスプレイ装置に投票結果を表示する可能性があるが、この場合にも得票数の漏洩を招くという問題が生ずる。
【０００７】
本発明は、上記従来技術の課題を解決するためになされたものであって、投票用紙の開票作業を行う場合における開票状況の漏洩を未然に防止することができる投票用紙処理システム及び投票用紙処理方法を提供することを目的とする。
【課題を解決するための手段】
【０００８】
上述した課題を解決し、目的を達成するため、本発明は、投票用紙を所定の分類毎に分類する投票用紙分類部と、前記投票用紙分類部における投票用紙分類の運用に関する情報を管理する第一の情報管理部と、前記第一の情報管理部から出力された情報を管理する第二の情報管理部と、前記第二の情報管理部において管理される情報に基づいて、投票用紙分類の運用に関する情報を表示制御する運用情報表示制御部とを有することを特徴とする。ここで、投票用紙分類の運用に関する情報とは、例えば投票用紙の認識方法、分類方法、開票数、収容部のニアフル状態、エラーなどの情報を意味する。
【０００９】
また、本発明は、上記発明において、前記第一の情報管理部は、前記投票用紙分類部において分類された所定の分類毎の票計数結果を前記第二の情報管理部に送信し、前記第二の情報管理部は、前記第一の情報管理部から出力された票計数結果について、所定の集計処理を行うことを特徴とする。
【００１０】
また、本発明は、上記発明において、前記第二の情報管理部は、計数されるべき票数である対象票数を特定可能な情報を入力する入力部を備え、前記運用情報表示制御部は、前記集計処理の結果と前記対象票数を表示制御することを特徴とする。
【００１１】
また、本発明は、上記発明において、前記第二の情報管理部は、前記第一の情報管理部における情報の管理あるいは前記投票用紙分類部における投票用紙の分類に関する設定を指示する機能を有することを特徴とする。
【００１２】
また、本発明は、上記発明において、前記第二の情報管理部は、前記第一の情報管理部から出力された情報に基づいて、複数の設定の中から設定を選択する選択部を備え、前記選択部にて選択された設定を指示することを特徴とする。
【００１３】
また、本発明は、上記発明において、前記運用情報表示制御部は、前記投票用紙分類部における分類動作の動作状況を表示制御することを特徴とする。
【００１４】
また、本発明は、上記発明において、前記第一の情報管理部において管理される情報に基づいて、所定の情報を表示する管理情報表示制御部をさらに備え、前記第一の情報管理部は、前記管理情報表示制御部にて表示制御される情報を制限する表示制御制限部を有することを特徴とする。
【００１５】
また、本発明は、上記発明において、前記第一の情報管理部は、前記第二の情報管理部への情報の出力が可能かどうかを判定する出力可否判定部をさらに備え、前記表示制御制限部は、前記出力可否判定部の判定結果に基づいて、表示制御の制限を行うことを特徴とする。
【００１６】
また、本発明は、上記発明において、前記第一の情報管理部は、前記第二の情報管理部からの表示制御制限指示を受け付ける表示制御制限指示受付部をさらに備え、前記表示制御制限部は、前記表示制御制限指示受付部が表示制御制限指示を受け付けたことに基づいて、表示制御の制限を行うことを特徴とする。
【００１７】
また、本発明は、上記発明において、前記表示制御制限部が前記管理情報表示制御部の表示制御を制限している場合においても、前記運用情報表示制御部は投票用紙分類機能の運用に関する情報を表示制御することが可能であることを特徴とする。
【００１８】
また、本発明は、投票用紙を所定の分類毎に分類する投票用紙分類ステップと、前記投票用紙分類ステップにおける投票用紙分類の運用に関する情報を管理する第一の情報管理ステップと、前記第一の情報管理ステップにより出力された情報を管理する第二の情報管理ステップと、前記第二の情報管理ステップにおいて管理される情報に基づいて、投票用紙分類の運用に関する情報を表示制御する運用情報表示制御ステップとを含んだことを特徴とする。
【発明の効果】
【００１９】
本発明によれば、投票用紙の開票作業を行う場合における開票状況の漏洩を未然に防止することができる。
【図面の簡単な説明】
【００２０】
【図１】図１は、本発明に係る投票用紙処理システム及び投票用紙処理方法における情報処理の概要を説明するための説明図である。
【図２】図２は、実施例１に係る投票用紙分類機の外観構成を示す図である。
【図３】図３は、実施例１に係る投票用紙分類機の本実施例に係る内部構成を示すブロック図である。
【図４】図４は、実施例１に係るクライアントＰＣの内部構成を示すブロック図である。
【図５】図５は、実施例１に係る事務所ＰＣの内部構成を示すブロック図である。
【図６】図６は、衆議院選挙の選挙区用の投票用紙、衆議院選挙の比例区用の投票用紙、最高裁判所裁判官の国民審査の投票用紙を模式的に示す図である。
【図７】図７は、参議院選挙の選挙区用の投票用紙、参議院選挙の比例区用の投票用紙を模式的に示す図である。
【図８】図８は、本実施例の投票用紙分類システムにおける投票用紙分類処理の流れを示すフローチャートである。
【図９】図９は、開票モード及び管理モードにおいてクライアントＰＣに表示される画面の一例を示す図である。
【図１０】図１０は、管理モードにおいてクライアントＰＣに表示される画面の一例と、クライアントＰＣにおいて分類設定データを設定する設定画面の一例を示す図である。
【図１１】図１１は、事務所ＰＣにおいて表示される画面の例を示す図である。
【図１２】図１２は、実施例２に係る事務所ＰＣの内部構成を示すブロック図である。
【図１３】図１３は、記憶部に記憶された自動設定データの一例を示す図である。
【発明を実施するための形態】
【００２１】
以下に、添付図面を参照して、本発明に係る投票用紙処理システム、投票用紙処理方法の好適な実施例を詳細に説明する。
【実施例１】
【００２２】
＜開票作業の流れ＞
まず、開票所に集められた投票用紙の開票作業の流れの概要について説明する。投票所において有権者による投票用紙を用いた投票を終えたならば、選挙管理委員は、投票用紙が収納された投票箱を開票所に運搬し、投票箱内の投票用紙を机上に広げる。その後、選挙管理委員は、任意の枚数の投票用紙を積み重ねて束にし、この投票用紙の束を投票用紙分類機１００にセットする。その後、投票用紙分類機１００によって投票用紙が候補者名毎に分類及び集計され、選挙管理委員による集計された投票用紙の目視点検後に再集計され、一連の開票作業が完了する。
【００２３】
また、開票された投票用紙には、選挙に正式に登録されたいずれかの候補者名が適正に記載された有効票である確定票と、確定票以外の未確定票とがある。確定票は、投票用紙分類機１００での集計を終えた後、選挙管理委員による点検を受ける。
【００２４】
これに対して、未確定票は、白票、無効票、他事記載票、疑問票、按分票、リジェクト票（搬送不良票）に細分化される。白票は、予め印刷された内容以外に何も記載されていない白紙の投票用紙を意味し、無効票とは、何かしらの記入があるものの、いずれかの候補以外の名前や落書きが記入された投票用紙を意味する。他事記載票は、候補名に加えて、候補名以外の余計な事項が記入された投票用紙である。
【００２５】
疑問票は、記入事項である候補者名の一部に間違い又は不明瞭な記載があり、投票用紙分類機１００では識別できず、有効票とするか否を人により判断する必要がある投票用紙を意味する。かかる疑問票は、候補者名が正しく記入されていないので、投票用紙分類機１００では、疑問票から候補名を正常に識別することができない。
【００２６】
按分票は、記入事項があいまいで、かかる記入事項から複数の候補のいずれを選んだのかが分からない投票用紙を意味する。例えば、「田中一郎」と、「田中二郎」という同姓の２名の候補者が存在する場合に、苗字の「田中」だけが記入された投票用紙が按分票となる。かかる按分票の場合、たとえば、該当する複数の候補者のそれぞれにおける最終的な獲得票数から各候補者の取り分を設定し、按分票の１票を該複数の候補者のそれぞれの取り分毎に分割して、各候補者の獲得票に加算する。
【００２７】
無効票、白票、他事記載票、疑問票及び按分票は、投票用紙分類機１００による分類の後に、選挙管理委員によって目視で確認されるが、無効票及び白票は、集計に加算されない。リジェクト票は、投票用紙分類機１００において、進行方向に対して所定以上傾斜した斜行状態や、先行する投票用紙または後続の投票用紙に近接した状態や、複数枚の投票用紙が重なった重層状態で搬送されたために記入事項の読み取りが行われなかった投票用紙を指す。リジェクト票は、記入事項自体の問題により除外されたものではないため、投票用紙分類機１００に再度セットされる。
【００２８】
＜実施例１に係る投票用紙処理システムの概念＞
次に、本実施例１に係る投票用紙処理システムの概要について説明する。図１は、実施例１に係る投票用紙処理システムの概要を説明するための説明図である。図１に示す投票用紙処理システムは、複数台の投票用紙分類機１００と、複数台のクライアントＰＣ２０（第１の情報管理部に相当）と、事務所ＰＣ３０（第２の情報管理部に相当）を接続して構成される。クライアントＰＣ２０及び事務所ＰＣ３０は、いわゆるパーソナルコンピュータである。
【００２９】
投票用紙分類機１００は、投票用紙を複数の収容部（スタッカ）に分類搬送する分類搬送部と、投票用紙に記載された情報を読み取る読取部と、読取部により読み取られた情報をクライアントＰＣ２０に送信する送信部とを有する。
【００３０】
クライアントＰＣ２０は、投票用紙分類機１００により読み取られた情報を利用して投票用紙の記載事項を判別し、搬送すべきスタッカを特定するための情報を投票用紙分類機１００に送信する。かかる投票用紙分類機１００とクライアントＰＣ２０の協働により、投票用紙を所定の分類基準で複数のスタッカに振り分ける。
【００３１】
投票用紙分類機１００及びクライアントＰＣ２０は、選挙管理委員や選挙立会人が出入り可能な開票スペースに設置される。これに対して、事務所ＰＣ３０は、選挙管理委員のみが出入り可能な事務所スペースに設置される。事務所ＰＣ３０は、クライアントＰＣ２０からの投票用紙の分類に関する情報（票計数情報）を受信し、各候補者の票の集計枚数や、投票用紙１００のスタッカの状態、エラー状況などを表示する。
【００３２】
クライアントＰＣ２０には、（１）投票用紙分類機１００で分類された投票用紙が集積されるスタッカに関するスタッカ情報（集積枚数、ニアフルなどの情報）、（２）投票用紙分類機１００でのエラー情報（投票用紙詰まり、投票用紙リジェクトなどの情報）が表示される。
【００３３】
事務所ＰＣ３０には、（１）クライアントＰＣ２０からの情報を利用して候補者ごとの得票状況、全体の投票用紙枚数のうち何票が分類済みかを示す開票済状況などの開票状況、（２）各投票用紙分類機１００が何の作業を実行しているか等の作業状況が表示される。
【００３４】
従来は、クライアントＰＣ２０又は投票用紙分類機１００に配設された小型ディスプレイにおいて開票状況等が表示されていたため、開票スペースに立入可能な立会人（報道関係者を含む）が双眼鏡などを用いて開票状況を覗き見ることができ、その結果として開票結果が外部に漏洩する可能性があった。これに対して、本実施例１では、クライアントＰＣ２０には開票結果に関する情報は表示されないため、開票結果が外部に漏洩する可能性を低減することができる。また、従来は、クライアントＰＣ２０は、該クライアントＰＣ２０に対応する投票用紙分類機１００での開票情報しか収集することができないため、投票会場全体での開票状況を把握するためには選挙管理委員が各クライアントＰＣ２０に表示されている開票状況を手作業で集計するしかなかったが、本実施例１では複数台を纏めた集計結果が事務所ＰＣ３０に表示されるため、作業の管理が容易になるとともに、開票結果が外部に漏洩する可能性もなくなる。
【００３５】
＜投票用紙分類機１００の外観構成＞
次に、図１に示した投票用紙分類機１００の外観構成について説明する。図２は、投票用紙分類機１０の外観構成を示す図である。図２に示すように、投票用紙分類機１００は、ホッパー１０１、リジェクト部１０２、スタッカ１０３、スタッカユニット１０４、本体ユニット１０５及び表示部１０６を有する。
【００３６】
ホッパー１０１は、分類前の投票用紙がセットされる部分である。ホッパー１０１は内部へ向けて窪む凹状の形状をしており、底面（ホッパー１０１内で上を向いている面）は、図中の左下側へ傾斜して延びている。この底面には、これから分類すべき多数枚の投票用紙を、上下に積層した状態でセットすることができる。
【００３７】
リジェクト部１０２は、リジェクト票が集積される部分である。図示省略したが、このリジェクト部１０２には、リジェクト票が排出されるリジェクト口と、排出されたリジェクト票を積層した状態で集積するリジェクトトレイが含まれる。リジェクトトレイは、リジェクト口から連続して内部へ向けて窪む凹状の形状をしている。リジェクト部１０２は、ホッパー１０１に対してその近傍に設けられているため、リジェクト票を取り出して再セットしやすい。
【００３８】
スタッカ１０３は、分類された投票用紙が積層状態で収納される部分である。スタッカ１０３は、ボックス形状をなしており、正面側に取出口を有し、取出口から内部空間が正面側へ露出されている。スタッカユニット１０４は、複数（ここでは８つ）のスタッカ１０３を有しており、後述する本体ユニット１０５とユニット単位で分離・接続することができる。これにより、分類すべき投票用紙の量や、分類すべき票の種類数によって、適宜スタッカユニット１０４を追加接続して運用することができる。
【００３９】
本体ユニット１０５は、投票用紙分類機１００の全体を制御するユニットである。表示部１０６は、多色ＬＥＤ等で構成され、スタッカ１０３ごとに設けられている。そして、スタッカ１０３の投票用紙の状態、具体的には、スタッカ１０３の内部に設けられ、投票用紙の有無を検出するセンサ出力に応じて点灯・消灯する。例えば、スタッカ１０３に何も入っていない待機状態では消灯しており、スタッカ１０３に投票用紙が収納されると青色に点灯する。そして、スタッカ１０３においてジャム等のエラーが発生すると、赤色に点滅する。また、スタッカ１０３の投票用紙の収納枚数がニアフル状態に達すると、青色に点滅する。
【００４０】
＜投票用紙分類機１００の内部構成＞
次に、図１に示した投票用紙分類機１００の内部構成について説明する。図３は、図１に示した投票用紙分類機１００の内部構成を示すブロック図である。投票用紙分類機１００は、すでに説明したスタッカ１０３及び表示部１０６と、搬送部１０７と、操作部１０８と、画像読取部１０９と、通信部１１０と、記憶部１１１と、制御部１１２とを有する。
【００４１】
搬送部１０７は、投票用紙を分類するために搬送する部分であり、（１）投票用紙の表裏方向（投票用紙における短手方向における向き）を反転させることができるスイッチバック搬送路、（２）投票用紙の天地方向（投票用紙における長手方向における向き）を反転されることができるスパイラル搬送路、（３）投票用紙をリジェクトするためのリジェクト搬送路などを含む。
【００４２】
操作部１０８は、投票用紙分類機１００による分類処理の開始及び停止する際に操作される部分であり、ホッパー１０１付近の外部からアクセスしやすい位置に設けられる。
【００４３】
画像読取部１０９は、複数のセンサ等からなり、搬送路を通過する投票用紙の画像を読み取る機能を有する。複数のセンサには、搬送路の上側の面に臨んで投票用紙の上面の画像を読み取るセンサと、搬送路の下側の面に臨んで投票用紙の下面を読み取るセンサを含む。
【００４４】
通信部１１０は、外部装置とデータ通信するためのインタフェース部である。この通信部１１０を通じてクライアントＰＣ２０とデータ通信を行うことができる。
【００４５】
記憶部１１１は、ハードディスク装置や不揮発性メモリ等からなる記憶デバイスである。記憶部１１１には、画像データ１１１ａ及びスタッカ制御用データ１１１ｂを記憶する。画像データ１１１ａは、画像読取部１０９にて読み取られた投票用紙の画像データである。スタッカ制御用データ１１１ｂは、本体ユニット１０５に接続されているスタッカユニット１０４に含まれるスタッカ１０３に識別情報（番号）を付して管理するためのデータであり、スタッカユニット１０４の分離・接続に応じて更新される。
【００４６】
なお、図１の例では、４つのスタッカユニット１０４にそれぞれ８つのスタッカが設けられているため、分類のためのスタッカは３２個あり、リジェクト部１０２を含めると３３個の投票用紙の搬送先がある。このため、スタッカ制御用データ１１１ｂは搬送先として０〜３２の番号を付したスタッカデータを記憶している。この付番したスタッカデータは、スタッカ設定データとしてクライアントＰＣ２０に送信される。
【００４７】
制御部１１２は、投票用紙分類機１００の全体を制御する部分であり、画像データ処理部１１２ａと、スタッカ制御部１１２ｂと、搬送制御部１１２ｃとを有する。実際には、これらの機能部に対応するプログラムを図示しないＲＯＭや不揮発性メモリに記憶しておき、これらのプログラムをＣＰＵ（Central Processing Unit）にロードして実行することにより、それぞれに対応するプロセスを実行させることになる。
【００４８】
画像データ処理部１１２ａは、画像読取部１０９にて読み取られた画像データ１１１ａを通信部１１０を介してクライアントＰＣ２０に送信する処理を行うとともに、画像読取部１０９にて読み取られた画像データ１１１ａの記憶更新（新たな記憶・削除など）の処理を行う。
【００４９】
スタッカ制御部１１２ｂは、スタッカ１０３の内部に設けられ、投票用紙の有無を検出するセンサの出力の検知、スタッカ１０３に対応して設けられる表示部１０６の表示制御、スタッカ１０３の内部の搬送のための電気部品の制御を行う。
【００５０】
また、スタッカ制御部１１２ｂは、所定の設定操作を受けて、投票用紙を所定のバッチ枚数ずつ集積する「バッチ運用」を行うことができる。例えば、本来であれば、スタッカ１０３の投票用紙の収容枚数は、例えば最大１３０枚となるが、バッチ運用の場合、一候補の投票用紙だけがバッチ枚数ずつまとめられて収容される。このバッチ枚数は、１００枚（５０枚でもよい）といった区切りの良い枚数に設定することができるため、バッチ枚数ごとの投票用紙の束の数を数えれば、投票用紙の枚数を速やかに把握することが可能になる。
【００５１】
搬送制御部１１２ｃは、搬送部１０７の制御を行う。特に、ホッパー１０１で受け入れた投票用紙を、通信部１１０を通じてクライアントＰＣ２０から指示された先のスタッカ１０３に搬送する制御を行う。
【００５２】
＜クライアントＰＣ２０の内部構成＞
次に、図１に示したクライアントＰＣ２０の内部構成について説明する。図４は、図１に示したクライアントＰＣ２０の内部構成を示すブロック図である。図４に示すように、クライアントＰＣ２０は、表示部２１と、操作部２２と、通信部２３と、記憶部２４と、制御部２５とを有する。
【００５３】
表示部２１は、カラー液晶ディスプレイ等からなり、操作者への情報表示に用いられる。操作部２２は、マウスやキーボード等からなり、操作者からの入力操作を受け付ける。
【００５４】
通信部２３は、所定の通信回線を経由して投票用紙分類機１００及び事務所ＰＣ３０と通信するためのインタフェース部である。通信部２３には、開票情報を出力するためのプリンタを接続することもできる。
【００５５】
記憶部２４は、ハードディスク装置や不揮発性メモリ等からなる記憶デバイスである。この記憶部２４には、スタッカ設定データ２４ａ、分類設定データ２４ｂ、画像データ２４ｃ、集計データ２４ｄ及び分類機データ２４ｅを記憶する。
【００５６】
スタッカ設定データ２４ａは、投票用紙分類機１００に接続されたスタッカ１０３に付番したデータであり、投票用紙分類機１００から送信される。分類設定データ２４ｂは、投票用紙の分類に用いる分類基準である候補者名等のデータを含み、操作部２２の操作等により入力されて設定される。また、分類設定データには、分類基準のデータとスタッカ設定データ２４ａに基づいて、どの候補者名の票がどのスタッカに割り当てられるかという対応関係のデータも含まれる。クライアントＰＣ２０は、当該データに基づいて投票用紙の計数・集計を行う。
【００５７】
画像データ２４ｃは、投票用紙分類機１００から送信される投票用紙の画像データである。集計データ２４ｄは、分類設定データ２４ｂ及び画像データ２４ｃに基づいて集計された票数のデータであり、集計対象（例えば、小選挙区、比例代表、国民審査などの種別）の情報を含む。集計データ２４ｄは、動作モードが後述する管理モードである場合には、所定のタイミングごとに事務所ＰＣ３０に送信される。分類機データ２４ｅは、投票用紙分類機１００の現在の状態及び動作の履歴を含むデータである。分類機データ２４ｅは、投票用紙分類機１００から一定時間間隔ごとに送信される装置の状態データに基づいて記憶され、スタッカ１０３のニアフルの状態や、搬送部１０７の搬送詰まりなどのエラー情報を含む。
【００５８】
制御部２５は、クライアントＰＣ２０を全体制御する制御部であり、表示制御部２５ａ、分類認識部２５ｂ、分類制御部２５ｃ及びモード制御部２５ｄを有する。実際には、これらの機能部に対応するプログラムを図示しないＲＯＭや不揮発性メモリに記憶しておき、これらのプログラムをＣＰＵ（Central Processing Unit）にロードして実行することにより、表示制御部２５ａ、分類認識部２５ｂ、分類制御部２５ｃ及びモード制御部２５ｄにそれぞれ対応するプロセスを実行させることになる。
【００５９】
表示制御部２５ａは、表示部２１への情報表示制御を行う。この情報表示制御は、後述するモード制御部２５ｄのモード切替によって異なる情報が表示される。分類認識部２５ｂは、文字認識機能を備え、投票用紙分類機１００から受信した画像データ２４ｃに含まれる文字等を認識する。そして、分類設定データ２４ｂに含まれる分類基準である候補者名と照合し、受信した画像データ２４ｃに対応する投票用紙の分類を行う。
【００６０】
分類制御部２５ｃは、入力された候補者名等の分類基準のデータと、スタッカ設定データ２４ａとに基づいて、スタッカと候補者名の対応関係を割り当て、分類設定データ２４ｂを生成する。また、分類認識部２５ｂにて投票用紙の分類が判別された場合に、分類設定データ２４ｂに基づいて、該当する投票用紙をどのスタッカに搬送するかを投票用紙分類機１００に指示する。
【００６１】
モード制御部２５ｄは、通信部２３を介した通信により、事務所ＰＣ３０が接続されているか否かを判定し、動作モードを切り替える制御を行う。具体的には、事務所ＰＣ３０が接続されていない場合には、表示制御部２５ａにより集計情報を表示する開票モードを動作モードとする。一方、事務所ＰＣ３０が接続されている場合には、表示制御部２５ａにより集計情報を表示せず、投票用紙分類機１００の状態に関する情報等を表示可能にして投票用紙分類機１００を管理する管理モードとする。このような動作モードの切り替えにより、事務所ＰＣ３０の存在の有無に円滑に対応することができる。
【００６２】
＜事務所ＰＣ３０の内部構成＞
次に、図１に示した事務所ＰＣ３０の内部構成について説明する。図５は、図１に示した事務所ＰＣ３０の内部構成を示すブロック図である。図５に示すように、事務所ＰＣ３０は、表示部３１と、操作部３２と、通信部３３と、記憶部３４と、制御部３５とを有する。
【００６３】
表示部３１は、カラー液晶ディスプレイ等からなり、操作者への情報表示に用いられる。操作部３２は、マウスやキーボード等からなり、操作者からの入力操作を受け付ける。
【００６４】
通信部３３は、所定の通信回線を経由してクライアントＰＣ２０と通信するためのインタフェース部である。通信部３３には、クライアントＰＣ２０を複数台接続可能である。
【００６５】
記憶部３４は、ハードディスク装置や不揮発性メモリ等からなる記憶デバイスである。この記憶部３４には、集計データ３４ａ、総票数データ３４ｂ及び開票集計データ３４ｃを記憶する。
【００６６】
集計データ３４ａは、クライアントＰＣ２０にて集計された票数のデータであり、クライアントＰＣ２０が複数台接続されているときには、複数台分の集計データ３４ａが記憶される。総票数データ３４ｂは、投票会場にて有権者に配布された投票用紙の総数のデータであり、選挙管理委員によって投票用紙が有権者に配布されたあと、操作部３２を介してその枚数が入力されて記憶される。開票集計データ３４ｃは、集計データ３４ａ、総票数データ３４ｂ等に基づいて集計された候補者ごとの得票数、開票状況などを示すデータであり、複数台のクライアントＰＣ２０が接続されている場合には、複数台分の情報が総合して集計されたデータである。
【００６７】
制御部３５は、事務所ＰＣ３０を全体制御する制御部であり、表示制御部３５ａ及び開票集計部３５ｂを有する。実際には、これらの機能部に対応するプログラムを図示しないＲＯＭや不揮発性メモリに記憶しておき、これらのプログラムをＣＰＵ（Central Processing Unit）にロードして実行することにより、表示制御部３５ａ及び開票集計部３５ｂにそれぞれ対応するプロセスを実行させることになる。
【００６８】
表示制御部３５ａは、表示部３１への情報表示制御を行う。具体的には、開票集計データ３４ｃに基づいて、候補者ごとの得票状況、開票状況などの表示が行われる。開票集計部３５ｂは、集計データ３４ａ、総票数データ３４ｂ等に基づいて開票集計データ３４ｃを生成する処理を行う。
【００６９】
ここで、投票用紙には、さまざまな様式が存在する。ここでの「様式」とは、投票用紙の用紙サイズ、地色、記入枠の位置、大きさ、数等の記入枠の態様、記入枠以外で投票用紙に予め印刷されたプレ印刷の内容（プレ印刷の記載内容、記載位置、文字のフォントや色等）を指す。投票用紙の裏面（記入枠が印刷された側とは反対側の面）に、プレ印刷がなされていれば、裏面のプレ印刷の内容もこの「様式」に含まれる。また、プレ印刷の有無も、投票用紙の「様式」に含まれる。
【００７０】
図６及び図７は、本実施例１に係る投票用紙分類機１００で分類される投票用紙の一例を示す図である。図６（ａ）は、衆議院選挙の小選挙区用の投票用紙を示し、図６（ｂ）は、衆議院選挙の比例代表用の投票用紙を示し、図６（ｃ）は、衆議院選挙の際に同時開催される最高裁判所裁判官の国民審査の投票用紙を示している。図７（ａ）は、参議院選挙の小選挙区用の投票用紙を示し、図７（ｂ）は、参議院選挙の比例代表用の投票用紙を示している。
【００７１】
ここで、衆議院選挙の小選挙区用の投票用紙（図６（ａ）参照）と、衆議院選挙の比例代表用の投票用紙（図６（ｂ）参照）とでは、様式が異なっている。具体的には、投票用紙の地色（小選挙区用の投票用紙は全体が着色されている）、記入枠の大きさ（比例代表用の投票用紙の方が縦に小さい）、プレ印刷の内容（見出しや注意書きの内容）の違いがある。
【００７２】
また、衆議院選挙の小選挙区用の投票用紙（図６（ａ）参照）と、最高裁判所裁判官の国民審査の投票用紙（図６（ｃ）参照）とでは、投票用紙の用紙サイズ（国民審査の投票用紙の方が大きい）、地色（選挙区用の投票用紙は全体が着色されている）、記入枠の形式、大きさ及び数（国民審査の投票用紙の方が記入枠が小さく数が多い）、プレ印刷の内容(見出しや注意書きの内容)が相違する。
【００７３】
また、参議院選挙の小選挙区用の投票用紙（図７（ａ）参照）と、比例代表用の投票用紙（図７（ｂ）参照）とでは、投票用紙の地色（選挙区用の投票用紙は全体が着色されている）、記入枠の大きさ（比例区用の投票用紙の方が縦に小さい）、プレ印刷の内容(見出しや注意書きの内容)が相違する。
【００７４】
クライアントＰＣ２０の分類認識部２５ｂは、上記の異なる選挙の投票用紙が混在したままホッパー１０１にセットされたとしても、これらの様式の違いを判別することで、投票用紙を、選挙別に投票用紙の種類毎に細分化して分類することができる。
【００７５】
＜投票用紙分類処理手順＞
次に、本実施１に係る投票用紙分類システムにおける投票用紙の分類処理手順を説明する。図８は、本実施１に係る投票用紙分類システムにおける投票用紙分類処理手順を示すフローチャートである。
【００７６】
図８に示すように、まず、投票用紙分類機１００にて、操作部１０８が操作される分類開始操作を受け付けると（ステップＳ１０１；Ｙｅｓ）、搬送制御部１１２ｃは搬送部１０７を制御して投票用紙を読取部に搬送する（ステップＳ１０２）。そして、投票用紙の搬送が異常かどうかを判定する（ステップＳ１０３）。この判定は、画像読取部１０９に設けられるセンサによって、通過しようとする投票用紙の先端縁や後端縁（エッジ）を読み取ることによって、投票用紙が斜行状態で搬送されているか否かを検出したり、投票用紙が異常接近状態で搬送されていることを検出することにより行われる。
【００７７】
そして、搬送に異常があれば（ステップＳ１０３；Ｙｅｓ）、投票用紙をリジェクト部１０２に搬送するリジェクト処理を行う（ステップＳ１０４）。また、図示省略したが、リジェクト処理を行ったことをクライアントＰＣ２０に送信する。一方、搬送に異常がなければ（ステップＳ１０３；Ｎｏ）、画像読取部１０９によって投票用紙の画像を読み取り（ステップＳ１０５）、読み取った画像データ１１１ａをクライアントＰＣ２０に送信する（ステップＳ１０６）。
【００７８】
その後、クライアントＰＣ２０から投票用紙の搬送先スタッカの指示があれば（ステップＳ１０７；Ｙｅｓ）、搬送制御部１１２ｃによって搬送部１０７を制御するとともに、スタッカ制御部１１２ｂによりスタッカ１０３を制御して指示されたスタッカに投票用紙を搬送する（ステップＳ１０８）。その後、ホッパー１０１に投票用紙が残存しているかどうかを判定し（ステップＳ１０９）、投票用紙が残存しているならば（ステップＳ１０９；Ｙｅｓ）、ステップＳ１０２の処理に移行する。一方、投票用紙が残存していなければ（ステップＳ１０９；Ｎｏ）、処理を終了する。
【００７９】
クライアントＰＣ２０は、画像データの受信待ちの状態にあり（ステップＳ１１０；Ｎｏ）、画像データを受信したならば（ステップＳ１１０；Ｙｅｓ）、分類認識部２５ｂによる文字認識処理を行う（ステップＳ１１１）。この文字認識処理には、すでに説明した様式の判定による投票用紙の種類の認識処理及び記載された候補者名の認識処理が含まれる。そして、この認識結果と、分類設定データ２４ｂとに基づいて、認識した投票用紙をどのスタッカに搬送するかについての分類判定処理を行う（ステップＳ１１２）。
【００８０】
この分類判定処理について処理例を説明する。投票用紙から読み取られた画像に、今回の選挙の候補名が１つだけ含まれていれば、当該投票用紙が確定票であると識別する。投票用紙から読み取られた画像に、候補名等が含まれていなければ、当該投票用紙が白票であると識別する。投票用紙から読み取られた画像に、選挙の対象となる候補名以外の候補者氏名や政党名の記載が含まれていれば、投票用紙が無効票であると識別する。
【００８１】
投票用紙から読み取られた画像に、選挙の対象となる候補者名や政党名が記載されている場合であっても、それらの記載以外の余計な事項が含まれていれば、投票用紙が他事記載票であると識別する。投票用紙から読み取られた画像のいずれか一方に、何らかの記載事項が含まれているもののその記載内容が識別不能であれば、当該投票用紙が疑問票であると識別する。投票用紙から読み取られた画像に、複数の候補名のいずれかと特定できないような紛らわしい名前が含まれていれば、当該投票用紙が按分票であると識別する。
【００８２】
そして、これらの分類判定の結果により、認識された投票用紙に対応するものとして分類設定データ２４ｂに定められたスタッカを搬送先スタッカとして投票用紙分類機１００に指示する（ステップＳ１１３）。そして、認識された投票用紙の数に基づいて候補者名ごとの得票数を示す集計データ２４ｄを更新するとともに（ステップＳ１１４）、更新した集計データを事務所ＰＣ３０に送信する（ステップＳ１１５）。クライアントＰＣ２０は、投票用紙分類機１００からの画像データの送信があるたびに、ステップＳ１１０〜ステップ１１５の処理を行う。
【００８３】
事務所ＰＣ３０は、集計データの受信待ちの状態にあり（ステップＳ１１６；Ｎｏ）、集計データを受信したならば（ステップＳ１１６；Ｙｅｓ）、自装置の集計データ３４ａを更新するとともに（ステップＳ１１７）、更新された集計データを利用して開票集計データ３４ｃを更新する（ステップＳ１１８）。事務所ＰＣ３０は、複数のクライアントＰＣ２０と接続可能であり、複数のクライアントＰＣ２０が接続されているときは、複数の各クライアントＰＣ２０から集計データの送信があるたびに、ステップＳ１１６〜ステップＳ１１８の処理を行う。
【００８４】
＜クライアントＰＣ２０にて表示される情報の一例＞
次に、図９及び図１０を用いて、クライアントＰＣ２０にて表示される情報について説明する。なお、ここではその詳細な説明を省略したが、図９及び図１０に示すクライアントＰＣ２０の画面は、表示中においても投票用紙分類機１００からの送信情報により随時更新される。
【００８５】
図９（ａ）及び図９（ｂ）は開票モードにおいて表示制御部２５ａによりクライアントＰＣ２０に表示される画面の例を示す図である。図９（ａ）は、開票モードの待機中において、クライアントＰＣ２０に表示される情報であり、作業情報２０１、モード情報２０２、分類管理タブ２０３及び開票タブ２０４を含む。
【００８６】
作業情報２０１は、クライアントＰＣ２０及びクライアントＰＣ２０に接続される投票用紙分類機１００において行われている処理が何の作業であるかを示す情報であり、集計データ２４ｄ及び分類機データ２４ｅに基づいて表示される。この場合は、衆議院議員選挙の小選挙区の開票作業をしていることが「衆院・選挙区・開票」という表示で示されている。
【００８７】
モード情報２０２は、クライアントＰＣ２０がどの動作モードで動作しているかを示す情報であり、モード制御部２５ｄの制御状態に基づいて表示が行われる。この場合は、開票モードで動作していることが「開票モード」という表示で示されている。
【００８８】
分類管理タブ２０３には、クライアントＰＣ２０に接続されている投票用紙分類機１００における投票用紙の分類作業を管理するための情報として、スタッカ情報２０３ａ及び分類機ステータス２０３ｂが含まれる。スタッカ情報２０３ａは、分類設定データ２４ｂ、集計データ２４ｄ及び分類機データ２４ｅに基づいて表示され、スタッカに付された番号ごとの投票用紙の集積枚数、集積されている投票用紙の種別、スタッカのステータス（エラー状態やニアフル状態など）を含む。分類機ステータス２０３ｂは、分類機データ２４ｅに基づいて表示され、投票用紙分類機１００全体のステータス（エラー状態やスタッカのニアフル状態など）を含む。
【００８９】
なお、待機中においては、分類管理タブ２０３が常に前面に表示されており、開票タブ２０４は背面に非表示状態にある。開票タブ２０４の情報の内容については後述する。図９（ａ）の画面において、開票タブ２０４をクリックすると、選挙管理委員のみが保持している一定の認証情報（パスワードなど）の入力が求められ、認証情報の入力を行うことを条件に図９（ｂ）の画面が表示される。
【００９０】
図９（ｂ）の画面においては、前述した作業情報２０１及びモード情報２０２に加えて、開票タブ２０４の情報が前面に表示される。開票タブ２０４の情報としては、分類設定データ２４ｂ及び集計データ２４ｄに基づいて、候補者毎に集計された確定票の票数に関する情報及びその他の票（無効票、白票、他事記載票、疑問票、按分票）の票数を集計した投票用紙分類機１００に関する開票情報が含まれる。これらの情報は通信部２３を介して接続されるプリンタによって出力することもできる。
【００９１】
なお、図９（ｂ）の画面は、何の操作も行われないまま所定時間が経過すると、図９（ａ）の画面に切り替えられて開票タブ２０４の情報は非表示の状態に復帰する。上記一連の表示制御部２５ａの表示制御により、事務所ＰＣ３０が接続されていない状態（つまり、開票モードで運用される状態）においても、一定の限られた人員（例えば選挙管理委員）に限定して開票情報を提供することができるとともに、その他の人員（例えば立会人など）による開票情報の覗き見のリスクを低減することができる。
【００９２】
図１０（ａ）は、管理モードにおいて表示制御部２５ａによりクライアントＰＣ２０に表示される画面（待機中画面）の一例を示す図である。管理モードは、事務所ＰＣ３０が接続されている場合にモード制御部２５ｄによって設定される。該画面において表示される情報としては、モード情報２０２として管理モードで動作していることを示す「管理モード」の表示となっている他は、図９（ａ）とほぼ同様であるが、開票タブ２０４は表示されない。
【００９３】
したがって、分類設定データ２４ｂ及び集計データ２４ｄに基づく開票情報は表示されることがない。つまり、クライアントＰＣ２０は候補者の票獲得にかかる情報を保持しているものの、これらを自らは表示せず、事務所ＰＣ３０へ情報を送信する。このため、管理モードで動作中のクライアントＰＣ２０の画面を覗き見られたとしても、どの候補がどのような得票状況にあるかを知るすべがないため、開票情報が漏えいするリスクを低減することができる。
【００９４】
なお、上記の各モードの画面例では、待機中画面として一定の情報が表示されている画面を例示したが、クライアントＰＣ２０に対し一定の操作が行われない状態では、スクリーンセーバー表示など、情報の非表示状態に切り換えるようにしてもよい。上記の表示制御部２５ａによって行われる開票情報の表示の制限にかかる機能は「管理情報表示制御部にて表示制御される情報を制限する表示制御制限部」として機能する。
【００９５】
図１０（ｂ）は、クライアントＰＣ２０に分類設定データ２４ｂを設定するための設定画面の一例を示す図である。この設定画面には、設定種別情報２０５、スタッカ設定情報２０６及び設定確定ボタン２０７が含まれる。設定種別情報２０５は、分類設定データ２４ｂを設定する選挙種別を示し、図１０（ｂ）の例では、コントロールボックスによる選択により、衆議院議員の選挙区が対象として選択されている。
【００９６】
スタッカ設定情報２０６は、投票用紙分類機１００の付番されたスタッカごとに、スタッカに分類する票の種別及びスタッカのグループ、確定票を分類する場合の候補者名を示す情報である。ここでは、スタッカのグループ番号を同じにすることで、同種の票（例えば、対応する候補者名が同じである投票用紙）を複数のスタッカに割り付けることが可能である。これらの設定を入力部２２を用いて入力し、設定確定ボタン２０７をクリックすることで、クライアントＰＣ２０に分類設定データ２４ｂを設定することができる。
【００９７】
＜事務所ＰＣ３０にて表示される情報の一例＞
図１１は、クライアントＰＣ２０に接続されている事務所ＰＣ３０において、待機中に表示される画面の一例を示す図である。図１１の例は、２台の投票用紙分類機１００に対し、それぞれクライアントＰＣ２０が１台ずつ接続され、その上位に接続された事務所ＰＣ３０の表示部３１に表示される画面を示している。なお、以下ではその説明を省略したが、図１１に示す事務所ＰＣ３０の画面は、表示中においてもクライアントＰＣ２０からの送信情報により随時更新される。
【００９８】
図１１の画面の情報には、開票集計タブ３０１、分類機１タブ３０２、分類機２タブ３０３が含まれる。分類機１タブ３０２、分類機２タブ３０３は、下位にある２台の投票用紙分類機１００に関する情報であり、これらのタブをクリックすることにより、図９（ａ）で示される分類管理タブ２０３と同等の情報がそれぞれの投票用紙分類機１００について表示されるが、ここではその詳細な説明を省略する。
【００９９】
開票集計タブ３０１には、表示対象情報３０１ａ、対象分類機情報３０１ｂ、開票進捗情報３０１ｃ、投票結果情報３０１ｄが含まれる。表示対象情報３０１ａは、開票情報の表示対象となる選挙種別を選択するための部分であり、ここでは、衆議院議員の小選挙区が開票情報の表示対象として選択される。
【０１００】
対象分類機情報３０１ｂは、表示対象情報３０１で選択された選挙種別を開票中の分類機が表示される。ここでは、分類機１及び分類機２が対象の選挙の投票用紙を開票中であることが示されている。開票進捗情報３０１には、総票数データ３４ｂに基づいて表示される総票数情報と、クライアントＰＣ２０から送信された集計データに基づいて更新された集計データ３４ｂに基づいて表示される開票数情報と、これらから算出される開票率の情報が表示される。
【０１０１】
総票数情報は、投票会場において配布された投票用紙の総数であり、あらかじめ操作部３２の操作によって入力・記憶される。ここでは「４７２６枚」が記憶された状況を示している。開票数情報は、複数の投票用紙分類機１００（例えば分類機１及び分類機２）に対応するクライアントＰＣ２０から送信された集計データに含まれる開票数を合計した情報であり、ここでは「２８６１枚」となっている。開票率は、開票数／総票数×１００（％）で算出することができ、ここでは「６０．５」％となっている。この開票率の数字により、複数の投票用紙分類１００にて作業を行っている場合であっても、開票作業の進捗度合いを管理することが可能になる。また、これにより開票漏れの発生についても抑止することができる。
【０１０２】
投票結果情報３０１ｄには、複数の投票用紙分類機１００（例えば分類機１及び分類機２）に対応するクライアントＰＣ２０から送信された集計データに基づいて、候補者ごとの確定票の数と、得票率が表示される。表示制御部３５ａによる上述の画面の表示制御により、全体の開票作業の進捗率や、各候補の得票状況などを容易に把握することができる。なお、クライアントＰＣ２０において開票情報の表示が制限されている状態（例えば管理モードで動作している状態）であっても、事務所ＰＣ３０においては、候補者ごとの票数の集計情報や、各投票用紙分類機の情報（例えば分類機１タブ３０２や分類機２タブ３０３の情報）を表示することが可能であるため、柔軟な運用が可能である。
【０１０３】
上述してきたように、本実施例１によれば、投票用紙分類機１００、クライアントＰＣ２０及び事務所ＰＣ３０を接続した場合においては、クライアントＰＣ２０において投票用紙分類機の状況を把握できるとともに、事務所ＰＣ３０にて開票作業の進捗状況を管理することができ、また、投票会場における開票情報の覗き見による漏洩リスクを低減できることで、投票用紙分類処理における利便性を向上することが可能になる。
【０１０４】
なお、上述してきた本実施例１では、クライアントＰＣ２０の機能としてモード制御部２５ｄによって動作モードを開票モードと管理モードに切り替える例を示しているが、本発明は動作モードの切り替えを行うものに限定されず、このうちの１つのモード、例えば管理モードのみが固定的に動作するものであってもよい。
【実施例２】
【０１０５】
ところで、上記の実施例１では、クライアントＰＣ２０において投票用紙の分類作業のための設定入力や、情報の表示状態を制御する例を示したが、これらの設定制御、表示制御を上位に接続される事務所ＰＣ３０から行うこともできる。そこで、本実施例２では、事務所ＰＣ３０からこれらの設定制御、表示制御を行う場合について説明する。なお、実施例１と重複する部分については、同一符号を付すこととしてその詳細な説明を省略する。
【０１０６】
＜実施例２に係る事務所ＰＣ３０の内部構成＞
図１２は、本実施例２に係る事務所ＰＣ３０の内部構成を示すブロック図である。本実施例２における事務所ＰＣ３０は、実施例１の構成に加えて、記憶部３４に分類設定データ３４ｄ及び自動設定データ３４ｅを記憶する。また、制御部３５の構成として設定指示部３５ｃ及びモード指示部３５ｄを有する。
【０１０７】
分類設定データ３４ｄは、投票用紙分類機１００における投票用紙の分類に用いる分類基準である候補者名等のデータを含み、クライアントＰＣ２０における分類設定データ２４ｂと同様の構成である。また、表示部３１にて図１０（ｂ）で示したような設定画面と同等の設定画面によって入力が行われる。ただし、クライアントＰＣ２０における分類設定データ２４ｂとは異なり、複数台の投票用紙分類機１００及びクライアントＰＣ２０が接続されているときは、それぞれに対応した分類設定データ３４ｄを並行的に保持している。また、選挙の対象（選挙区、比例区、国民審査など）に応じて異なる分類設定データを保持することができるようになっている。
【０１０８】
自動設定データ３４ｅは、クライアントＰＣ２０における分類設定データ２４ｂ及びモード制御部２５ｄにおけるモード制御を、あらかじめ設定した条件に応じて自動的に切り換えるためのデータであり、あらかじめ選挙管理委員などの管理者によって、操作部３２を操作することによって記憶される。
【０１０９】
設定指示部３５ｃは、通信部３３を介してクライアントＰＣ２０に分類設定データ３４ｄを配信し、この分類設定データ３４ｄによってクライアントＰＣ２０が有する分類設定データ２４ｂを更新するよう指示する指示部である。本実施例２におけるクライアントＰＣ２０の内部構成は実施例１と同様であるが、配信されたデータによって分類設定データ２４ｂを更新する点が異なっている。
【０１１０】
モード指示部３５ｄは、通信部３３を介してクライアントＰＣ２０に動作モードの変更を指示する指示部である。本実施例２におけるクライアントＰＣ２０は、実施例１と同様、モード制御部２５ｄにて管理モードと開票モードを切り替えるが、モード制御部２５ｄは事務所ＰＣ３０の接続を検出してモードを切り替えるのではなく、事務所ＰＣ３０からのモード変更指示によりモードを変更する点が異なる。なお、その他の投票用紙分類機１００とクライアントＰＣ２０の構成は実施例１と同様である。
【０１１１】
＜自動設定データ３４ｅの一例＞
図１３は、記憶部３４に記憶された自動設定データ３４ｅの一例を示す図である。図１３では、１つの条件として、分類開始時に、クライアントＰＣ２０の動作モードを開票モードから管理モードに移行させるよう指示することが規定されている。また、２つ目の条件として、分類開始時に分類設定データとして、選挙区用の分類設定データをクライアントＰＣ２０に配信して記憶させることが規定されている。また、３つ目の条件として、選挙区の開票率が８０％となったときに、分類設定データを小選挙区用から比例代表用の設定に切り換えることが規定されている。
【０１１２】
本実施例２における制御部３５は、自動設定データ３４ｅに記憶された条件が成立した場合に、設定指示部３５ｃあるいはモード指示部３５ｄにより、クライアントＰＣ２０に指示を行い、分類設定あるいは動作モードの切り替えを行う。この自動設定データ３４ｅは、下位のクライアントＰＣ２０が複数台ある場合には、各クライアントＰＣ２０毎に異なる設定を行うこともできるし、一括して同一の設定を行うこともできる。
【０１１３】
また、設定指示部３５ｃあるいはモード指示部３５ｄは、自動設定データ３４ｅによる指示だけではなく、操作部３２を介した手動入力による設定指示あるいはモード指示を受け付けることもできる。これらの制御により、本実施例２では、分類処理のためのクライアントＰＣ２０の設定を上位の事務所ＰＣから一括して制御することができるほか、分類処理の進行状況に応じて、最適な分類設定を適宜切り替えて用いることができる。
【０１１４】
また、開票情報の表示・非表示についても事務所ＰＣ３０からの操作で各クライアントＰＣ２０の表示状態を制御することができ、情報の漏えいリスクを低減することもできる。また、本実施例２においては、事務所ＰＣ３０からクライアントＰＣ２０の表示部２１の表示を非表示（たとえば、スクリーンセーバーの状態など）にする指示を行っても良い。これにより、選挙管理委員において情報漏洩のリスクを認識した場合に、直ちにリスクに対処することができる。なお、この場合には、クライアントＰＣ２０の表示部２１を非表示にした場合にも、事務所ＰＣ３０の表示部３１の表示状態は維持される。
【０１１５】
なお、上記の各実施例では、投票用紙分類機１００とクライアントＰＣ２０が１対１で対応して設けられ、さらにクライアントＰＣ２０複数台に対して事務所ＰＣ３０が１台対応して設けられる場合を示したが、各装置の台数の対応関係はこれに限らない。例えば、投票用紙分類機１００とクライアントＰＣ２０が複数対１で対応して設けられる構成であってもよいし。クライアントＰＣ２０と事務所ＰＣ３０が１対１で対応して設けられていてもよい。また、投票用紙分類機１００は３台以上であってもよいし、１台であってもよい。
【０１１６】
また、上記の各実施例では、投票用紙分類機１００とクライアントＰＣ２０、クライアントＰＣ２０と事務所ＰＣ３０の間の接続形態について特に説明していないが、情報通信が可能な形態であれば、ＬＡＮなどの有線接続であってもよいし、無線ＬＡＮなどの無線接続であってもよく、特に限定されない。ただし、クライアントＰＣ２０と事務所ＰＣ３０の間の接続については、事務所スペースへの設置性の観点から、無線接続であることが好ましい。
【０１１７】
また、上記の各実施例では、投票用紙分類機１００、第一の情報管理部であるクライアントＰＣ２０、第二の情報管理部である事務所ＰＣ３０をそれぞれ別体の装置として説明したが、本発明はこれに限らず、これらのうちの複数が物理的に一体の装置として構成されていてもよい。例えば、投票用紙分類機１００がクライアントＰＣ２０と一体化され、投票用紙の分類の認識機能を備えていてもよい。また、クライアントＰＣ２０が事務所ＰＣ３０と一体化され、複数の投票用紙分類機１００の票計数結果を集計する機能を備えていてもよい。
【０１１８】
また、上記の各実施例では、小選挙区・比例代表並立制の選挙形態を例に投票用紙の処理を説明したが、これらは一例であって、地方公共団体で行われる首長選挙・議会議員選挙や、過去行われていた大選挙区制による選挙など、選挙形態を問わず適用することが可能である。
【０１１９】
また、上記の各実施例で図示した各構成は機能概略的なものであり、必ずしも物理的に図示の構成をされていることを要しない。すなわち、各装置の分散・統合の形態は図示のものに限られず、その全部又は一部を各種の負荷や使用状況などに応じて、任意の単位で機能的又は物理的に分散・統合して構成することができる。
【産業上の利用可能性】
【０１２０】
本発明に係る投票用紙処理システム及び投票用紙処理方法は、投票用紙の開票作業を行う場合における開票状況の漏洩を未然に防止する場合に適している。
【符号の説明】
【０１２１】
２０  クライアントＰＣ（第一の情報管理部）
２１  表示部
２２  操作部
２３  通信部
２４  記憶部
２４ａ  スタッカ設定データ
２４ｂ  分類設定データ
２４ｃ  画像データ
２４ｄ  集計データ
２４ｅ  分類機データ
２５  制御部
２５ａ  表示制御部
２５ｂ  分類認識部
２５ｃ  分類制御部
２５ｄ  モード制御部
３０  事務所ＰＣ（第二の情報管理部）
３１  表示部
３２  操作部
３３  通信部
３４  記憶部
３４ａ  集計データ
３４ｂ  総票数データ
３４ｃ  開票集計データ
３４ｄ  分類設定データ
３４ｅ  自動設定データ
３５  制御部
３５ａ  表示制御部
３５ｂ  開票集計部
３５ｃ  設定指示部
３５ｄ  モード指示部
１００  投票用紙分類機
１０１  ホッパー
１０２  リジェクト部
１０３  スタッカ
１０４  スタッカユニット
１０５  本体ユニット
１０６  表示部
１０７  搬送部
１０８  操作部
１０９  画像読取部
１１０  通信部
１１１  記憶部
１１１ａ  画像データ
１１１ｂ  スタッカ制御用データ
１１２  制御部
１１２ａ  画像データ処理部
１１２ｂ  スタッカ制御部
１１２ｃ  搬送制御部
２０１  作業情報
２０２  モード情報
２０３  分類管理タブ
２０３ａ  スタッカ情報
２０３ｂ  分類機ステータス
２０４  開票タブ
２０５  設定種別情報
２０６  スタッカ設定情報
２０７  設定確定ボタン
３０１  開票集計タブ
３０２  分類機１タブ
３０３  分類機２タブ
３０１ａ  表示対象情報
３０１ｂ  対象分類機情報
３０１ｃ  開票進捗情報
３０１ｄ  投票結果情報
【図１】
2019144665.tif 000003
【図２】
2019144665.tif 000004
【図３】
2019144665.tif 000005
【図４】
2019144665.tif 000006
【図５】
2019144665.tif 000007
【図６】
2019144665.tif 000008
【図７】
2019144665.tif 000009
【図８】
2019144665.tif 000010
【図９】
2019144665.tif 000011
【図１０】
2019144665.tif 000012
【図１１】
2019144665.tif 000013
【図１２】
2019144665.tif 000014
【図１３】
2019144665.tif 000015